(57)【要約】【課題】接続先の機能提供装置を容易に把握することができるように、操作装置における表示を制御することができるようにすること。【解決手段】操作装置と、操作装置によって操作可能な操作対象装置とを備えた電子機器であって、操作装置は、表示部と、操作対象装置に対して所定の機能を提供する機能提供装置に接続するための接続アプリケーションと、接続アプリケーションを起動する、表示部に表示させるためのオブジェクトであって、接続アプリケーションの接続先の機能提供装置を識別可能なオブジェクトを、表示部における複数の機能を選択可能な選択画面に表示させるオブジェクト表示制御部とを備える。【選択図】図３
2019133359.tif 000002
【特許請求の範囲】
【請求項１】
操作装置と、前記操作装置によって操作可能な操作対象装置とを備えた電子機器であって、
前記操作装置は、
表示部と、
前記操作対象装置に対して所定の機能を提供する機能提供装置に接続するための接続アプリケーションと、
前記接続アプリケーションを起動する、前記表示部に表示させるためのオブジェクトであって、前記接続アプリケーションの接続先の機能提供装置を識別可能なオブジェクトを、前記表示部における複数の機能を選択可能な選択画面に表示させるオブジェクト表示制御部と
を備えることを特徴とする電子機器。
【請求項２】
前記接続アプリケーションは、
前記機能提供装置に接続した場合に、前記機能提供装置を操作し、前記機能提供装置により提供される前記所定の機能に関する設定を行うための設定画面を前記表示部に表示させる
ことを特徴とする請求項１に記載の電子機器。
【請求項３】
前記操作装置は、
前記機能提供装置が利用可能状態であるか否かを判定する利用可否判定部をさらに備え、
前記オブジェクト表示制御部は、
前記利用可否判定部によって利用可能状態であると判定された前記機能提供装置について、当該機能提供装置に対応する前記接続アプリケーションの前記オブジェクトを前記選択画面に表示させ、前記利用可否判定部によって利用可能状態でないと判定された前記機能提供装置について、当該機能提供装置に対応する前記接続アプリケーションの前記オブジェクトを前記選択画面に表示させない
ことを特徴とする請求項１または２に記載の電子機器。
【請求項４】
前記操作装置は、
前記機能提供装置から起動通知を受信する監視部をさらに備え、
前記利用可否判定部は、
前記監視部が前記機能提供装置から起動通知を受信した場合、当該機能提供装置を、前記利用可能状態であると判定する
ことを特徴とする請求項３に記載の電子機器。
【請求項５】
前記操作装置は、
複数の前記機能提供装置にそれぞれに対応する複数の前記接続アプリケーションと、
前記機能提供装置から起動通知を受信する監視部とをさらに備え、
前記監視部は、
起動通知の送信元の前記機能提供装置が起動したことを示す起動情報を、前記複数の接続アプリケーションに転送し、
前記接続アプリケーションは、
起動した前記機能提供装置が、当該接続アプリケーションに対応する前記機能提供装置であると判断した場合に、当該接続アプリケーションの前記オブジェクトを、前記選択画面に表示可能となるように登録し、
前記オブジェクト表示制御部は、
前記複数の接続アプリケーションのうち、前記利用可否判定部によって利用可能な状態であると判断された前記機能提供装置に対応する前記接続アプリケーションであって、かつ、前記オブジェクトを登録した前記接続アプリケーションの前記オブジェクトを前記選択画面に表示させる
ことを特徴とする請求項３または４に記載の電子機器。
【請求項６】
前記接続アプリケーションは、
当該接続アプリケーションに設定された、当該接続アプリケーションに対応する前記機能提供装置を識別する識別情報と、前記監視部により転送された前記起動情報に含まれる前記機能提供装置を識別する識別情報とに基づいて、起動した前記機能提供装置が、当該接続アプリケーションに対応する前記機能提供装置であるか否かを判断する
ことを特徴とする請求項５に記載の電子機器。
【請求項７】
前記接続アプリケーションは、
当該接続アプリケーションが起動されると、所定のリモート接続アプリケーションを起動することにより、当該所定のリモート接続アプリケーションに、当該接続アプリケーションに対応する前記機能提供装置への接続を行わせる
ことを特徴とする請求項１から４のいずれか一項に記載の電子機器。
【請求項８】
前記接続アプリケーションは、
当該接続アプリケーションが起動されると、前記所定のリモート接続アプリケーションを起動するとともに、当該接続アプリケーションに対応する前記機能提供装置に接続するための接続情報を、前記所定のリモート接続アプリケーションへ供給することにより、前記所定のリモート接続アプリケーションに、当該接続アプリケーションに対応する前記機能提供装置への接続を行わせる
ことを特徴とする請求項７に記載の電子機器。
【請求項９】
前記所定のリモート接続アプリケーションは、ＲＤＰクライアントである
ことを特徴とする請求項７または８に記載の電子機器。
【請求項１０】
前記接続アプリケーションは、
当該接続アプリケーションの接続先である前記機能提供装置を識別可能な画像および文字列を保持し、
前記オブジェクト表示制御部は、
前記接続アプリケーションが保持する前記画像および前記文字列を有する前記オブジェクトを、前記選択画面に表示させる
ことを特徴とする請求項１から９のいずれか一項に記載の電子機器。
【請求項１１】
操作装置と、前記操作装置によって操作可能な本体装置とを備えた画像処理装置であって、
前記操作装置は、
表示部と、
前記本体装置に対して所定の機能を提供する機能提供装置に接続するための接続アプリケーションと、
前記接続アプリケーションを起動する、前記表示部に表示させるためのオブジェクトであって、前記接続アプリケーションの接続先の機能提供装置を識別可能なオブジェクトを、前記表示部における複数の機能を選択可能な選択画面に表示させるオブジェクト表示制御部と
を備えることを特徴とする画像処理装置。
【請求項１２】
操作対象装置を操作可能な操作装置であって、
表示部と、
前記操作対象装置に対して所定の機能を提供する機能提供装置に接続するための接続アプリケーションと、
前記接続アプリケーションを起動する、前記表示部に表示させるためのオブジェクトであって、前記接続アプリケーションの接続先の機能提供装置を識別可能なオブジェクトを、前記表示部における複数の機能を選択可能な選択画面に表示させるオブジェクト表示制御部と
を備えることを特徴とする操作装置。
【請求項１３】
操作装置と、前記操作装置によって操作可能な操作対象装置とを備えた情報処理システムであって、
前記操作装置は、
表示部と、
前記操作対象装置に対して所定の機能を提供する機能提供装置に接続するための接続アプリケーションと、
前記接続アプリケーションを起動する、前記表示部に表示させるためのオブジェクトであって、前記接続アプリケーションの接続先の機能提供装置を識別可能なオブジェクトを、前記表示部における複数の機能を選択可能な選択画面に表示させるオブジェクト表示制御部と
を備えることを特徴とする情報処理システム。
【請求項１４】
操作装置と、前記操作装置によって操作可能な操作対象装置とを備えた情報処理システムによる制御方法であって、
前記操作対象装置に対して所定の機能を提供する機能提供装置に接続するための接続アプリケーションを起動する、前記操作装置が備える表示部に表示させるためのオブジェクトであって、前記接続アプリケーションの接続先を識別可能なオブジェクトを、前記操作装置が備える表示部における複数の機能を選択可能な選択画面に表示させるオブジェクト表示制御工程
を含むことを特徴とする制御方法。
【請求項１５】
操作対象装置を操作可能な操作装置用のプログラムであって、
コンピュータを、
前記操作対象装置に対して所定の機能を提供する機能提供装置に接続するための接続アプリケーションを起動する、前記操作装置が備える表示部に表示させるためのオブジェクトであって、前記接続アプリケーションの接続先を識別可能なオブジェクトを、前記操作装置が備える表示部における複数の機能を選択可能な選択画面に表示させるオブジェクト表示制御部
として機能させるためのプログラム。
【発明の詳細な説明】
【技術分野】
【０００１】
本発明は、電子機器、画像処理装置、情報処理システム、制御方法、およびプログラムに関する。
【背景技術】
【０００２】
従来、各種電子機器（例えば、スマートフォン、タブレット端末）、各種画像処理装置（例えば、ＭＦＰ（MultiFunction Peripheral））等において、操作パネルのホーム画面上に、アイコン、ボタン等のオブジェクトを選択可能に表示して、ユーザ操作によって当該オブジェクトが選択されると、当該オブジェクトに対応する機能を実行する技術が用いられている。
【０００３】
このような技術に関し、例えば、下記特許文献１には、操作パネルのホーム画面のような選択画面上に、コピー機能に対応する設定ウィジェットを表示可能なＭＦＰにおいて、操作者によって設定された、印刷で用いる色の設定値（例えば、「カラー」、「白黒」等）に応じて、設定ウィジェットのボタンに表示される画像および文字を変更する技術が開示されている。この技術によれば、現在設定されている印刷に用いる色を、設定ウィジェットに表示されたボタンから認識できるとされている。
【発明の概要】
【発明が解決しようとする課題】
【０００４】
ところで、ＭＦＰ等の画像処理装置の中には、所定の機能を提供する機能提供装置（例えば、ＤＦＥ（Digital Front End）サーバ）に接続することにより、当該画像処理装置に対して所定の機能を追加することができるようになっているものがある。しかしながら、従来技術では、ユーザは、操作パネルの選択画面に表示された、所定のリモート接続アプリケーションのオブジェクトを選択して、所定のリモート接続アプリケーションを起動した後、接続先の機能提供装置に応じて、その都度、各種接続情報（例えば、ＩＰアドレス、ユーザＩＤ、パスワード等）を入力する必要があった。
【０００５】
但し、所定のリモート接続アプリケーションは、一度接続情報が入力されると、その接続情報を保持しておくことが可能な場合もある。この場合、ユーザは、操作パネルの操作画面上で、当該リモート接続アプリケーションのオブジェクトを選択すれば、接続情報を再入力することなく、前回接続した機能提供装置と同じ機能提供装置に接続することが可能である。しかしながら、当該オブジェクトは、単にリモート接続アプリケーションであることを示すオブジェクトでしかない。よって、ユーザは、このオブジェクトを選択した場合に、どの機能提供装置に接続されるかを、容易に把握することができない。
【０００６】
本発明は、上述した従来技術の課題を解決するため、接続先の機能提供装置を容易に把握することができるように、操作装置における表示を制御することができるようにすることを目的とする。
【課題を解決するための手段】
【０００７】
上述した課題を解決するために、本発明の電子機器は、操作装置と、操作装置によって操作可能な操作対象装置とを備えた電子機器であって、操作装置は、表示部と、操作対象装置に対して所定の機能を提供する機能提供装置に接続するための接続アプリケーションと、接続アプリケーションを起動する、表示部に表示させるためのオブジェクトであって、接続アプリケーションの接続先の機能提供装置を識別可能なオブジェクトを、表示部における複数の機能を選択可能な選択画面に表示させるオブジェクト表示制御部とを備える。
【発明の効果】
【０００８】
本発明によれば、接続先の機能提供装置を容易に把握することができるように、操作装置における表示を制御することができる。
【図面の簡単な説明】
【０００９】
【図１】本発明の一実施形態に係る画像処理装置のハードウェア構成を示す図である。
【図２】本発明の一実施形態に係る画像処理装置のソフトウェア構成を示す図である。
【図３】本発明の一実施形態に係る画像処理装置の機能構成を示す図である。
【図４】本発明の一実施形態に係る画像処理装置が用いるアイコンおよび接続情報の一例を示す図である。
【図５】本発明の一実施形態に係る画像処理装置による処理の手順の一例（第１例）を示すシーケンス図である。
【図６】本発明の一実施形態に係る画像処理装置による処理の手順の一例（第２例）を示すシーケンス図である。
【図７】本発明の一実施形態に係る画像処理装置において操作パネルの表示部に表示されるホーム画面の一例を示す図である。
【図８】本発明の一実施形態に係る画像処理装置による処理の手順の一例（第３例）を示すシーケンス図である。
【図９】本発明の一実施形態に係る画像処理装置による処理の手順の一例（第４例）を示すシーケンス図である。
【図１０】本発明の一実施形態に係る画像処理装置において操作パネルの表示部に表示される遠隔操作画面の一例を示す図である。
【図１１】本発明の一実施形態に係る画像処理装置による処理の手順の一例（第５例）を示すシーケンス図である。
【図１２】本発明の一実施形態に係る画像処理装置が用いる、アイコンの表示条件を確認するためのテーブルの一例を示す図である。
【図１３】本発明の一実施形態に係る画像処理装置が用いる、アイコンの表示条件を確認するためのテーブルの一例を示す図である。
【発明を実施するための形態】
【００１０】
以下、図面を参照して、本発明の一実施形態について説明する。
【００１１】
（画像処理装置１００のハードウェア構成）
図１は、本発明の一実施形態に係る画像処理装置１００のハードウェア構成を示す図である。図１に示す情報処理システム１０は、画像処理装置１００と、２つのＤＦＥサーバ１３０とを備えて構成されている。
【００１２】
画像処理装置１００は、「電子機器」および「画像処理装置」の一例である。この画像処理装置１００は、いわゆるＭＦＰであり、コピー機能、スキャン機能、ＦＡＸ機能、プリンタ機能等の、各種画像処理機能を有している。図１に示すように、画像処理装置１００は、操作装置１１０および本体装置１２０を備えて構成されている。
【００１３】
＜操作装置１１０＞
操作装置１１０は、本体装置１２０に実行させる画像処理機能の選択、画像処理機能を実行させるための各種設定値の入力、画像処理機能の実行を開始させるための実行指示の入力、表示画面の切り替え等、ユーザが各種操作を行う際に用いられる装置である。操作装置１１０は、ＣＰＵ（Central Processing Unit）１１、ＲＯＭ（Read Only Memory）１２、ＲＡＭ（Random Access Memory）１３、フラッシュメモリ１４、操作パネル１５、接続Ｉ／Ｆ１６、および通信Ｉ／Ｆ１７を備えている。各ハードウェアは、バス１８を介して相互に接続されている。
【００１４】
ＣＰＵ１１は、ＲＯＭ１２またはフラッシュメモリ１４に記憶されている各種プログラムを実行する。ＲＯＭ１２は、不揮発性メモリである。例えば、ＲＯＭ１２は、ＣＰＵ１１により実行される各種プログラム、ＣＰＵ１１が各種プログラムを実行するために必要なデータ等を記憶する。ＲＡＭ１３は、ＤＲＡＭ（Dynamic Random Access Memory）やＳＲＡＭ（Static Random Access Memory）等の主記憶装置である。例えば、ＲＡＭ１３は、ＣＰＵ１１が各種プログラムを実行する際に利用する作業領域として機能する。
【００１５】
フラッシュメモリ１４は、不揮発性の記憶装置である。例えば、フラッシュメモリ１４は、ＣＰＵ１１により実行される各種プログラム、ＣＰＵ１１が各種プログラムを実行するために必要なデータ等を記憶する。操作パネル１５は、各種情報（例えば、ユーザＩＤ、パスワード等）を入力するための入力装置（図３に示す操作部１５Ｂ）と、各種情報（例えば、ホーム画面）を表示するための表示装置（図３に示す表示部１５Ａ）としての機能とを有している。操作パネル１５は、例えば、タッチパネル等が用いられる。
【００１６】
接続Ｉ／Ｆ１６は、通信路１９を介して、本体装置１２０と通信するためのインタフェースである。通信Ｉ／Ｆ１７は、ネットワーク（例えば、ＬＡＮ（Local Area Network）、ＶＰＮ（Virtual Private Network）、インターネット等）を介して、外部の情報処理装置（例えば、サーバ装置、パーソナルコンピュータ等）との通信を行うためのインタフェースである。
【００１７】
＜本体装置１２０＞
本体装置１２０は、「操作対象装置」および「本体装置」の一例である。本体装置１２０は、操作装置１１０におけるユーザの各種操作に応じて、各種画像処理機能を実行する装置である。本体装置１２０は、ＣＰＵ２１、ＲＯＭ２２、ＲＡＭ２３、ＨＤＤ２４、画像処理エンジン２５、接続Ｉ／Ｆ２６、および通信Ｉ／Ｆ２７を備えている。各ハードウェアは、バス２８を介して相互に接続されている。
【００１８】
ＣＰＵ２１は、ＲＯＭ２２またはＨＤＤ２４に記憶されている各種プログラムを実行する。ＲＯＭ２２は、不揮発性メモリである。例えば、ＲＯＭ２２は、ＣＰＵ２１により実行される各種プログラム、ＣＰＵ２１が各種プログラムを実行するために必要なデータ等を記憶する。ＲＡＭ２３は、ＤＲＡＭやＳＲＡＭ等の主記憶装置である。例えば、ＲＡＭ２３は、ＣＰＵ２１が各種プログラムを実行する際に利用する作業領域として機能する。
【００１９】
ＨＤＤ２４は、不揮発性の記憶装置である。例えば、ＨＤＤ２４は、ＣＰＵ２１により実行される各種プログラム、ＣＰＵ２１が各種プログラムを実行するために必要なデータ等を記憶する。
【００２０】
画像処理エンジン２５は、コピー機能、スキャン機能、ＦＡＸ機能、およびプリンタ機能等の各種の画像処理機能を実現するための画像処理を行う。画像処理エンジン２５には、例えば、原稿を光学的に読み取って画像データを生成するスキャナ、用紙等のシート材への印刷を行うプロッタ、および、ＦＡＸ通信を行うＦＡＸ通信装置等が含まれる。また、画像処理エンジン２５には、例えば、印刷済みのシート材を仕分けるフィニッシャや、原稿を自動給送するＡＤＦ（自動原稿給送装置）等が含まれている。
【００２１】
接続Ｉ／Ｆ２６は、通信路１９を介して、操作装置１１０と通信するためのインタフェースである。通信Ｉ／Ｆ２７は、ネットワーク（例えば、ＬＡＮ、ＶＰＮ、インターネット等）を介して、外部の情報処理装置（例えば、サーバ装置、パーソナルコンピュータ等）との通信を行うためのインタフェースである。操作装置１１０（接続Ｉ／Ｆ１６）と本体装置１２０（接続Ｉ／Ｆ２６）との接続は、無線通信方式によるものであってもよく、有線通信方式によるものであってもよい。
【００２２】
なお、図１では、画像処理装置１００が操作装置１１０を有している構成を一例として示したが、これに限定されない。操作装置１１０は、例えば、タブレット端末、スマートフォン、携帯電話、ＰＤＡ等の情報処理端末であっても良い。
【００２３】
ここで、画像処理装置１００は、本体装置１２０の通信Ｉ／Ｆ２７を介して、ＤＦＥサーバ１３０を接続することにより、当該ＤＦＥ１３０が有する機能を、本体装置１２０の拡張機能として追加することが可能である。
【００２４】
ＤＦＥサーバ１３０は、外部接続型の機器（「機能提供装置」の一例）であり、画像処理装置１００の本体装置１２０の機能を拡張するためのものである。ＤＦＥサーバ１３０によって追加される拡張機能としては、例えば、ワークフロー機能等が挙げられる。また、例えば、画像処理装置１００がプリンタ機能を持たない場合は、ＤＦＥサーバ１３０によって、プリンタ機能を追加することも可能である。ＤＦＥサーバ１３０は、当該ＤＦＥサーバ１３０が備えるディスプレイなどの表示装置、キーボードやマウスなどの入力装置を介して操作することが可能であるが、画像処理装置１００と接続されることにより、画像処理装置１００が備える操作装置１１０（操作パネル１５）からの遠隔操作が可能となる。なお、ＤＦＥサーバ１３０によって追加される拡張機能は、何らかの機能であれば十分であり、よって、画像処理装置１００が備えていない機能に限らず、例えば、画像処理装置１００が備える機能に比べて、性能、操作性、利便性等の高い機能等も含まれる。
【００２５】
具体的には、画像処理装置１００は、操作装置１１０（操作パネル１５）の操作により、当該操作装置１１０に導入されている所定のリモート接続アプリ１１５（ＲＤＰクライアント）から、本体装置１２０の通信Ｉ／Ｆ２７を介して、ＤＦＥサーバ１３０に接続することが可能である。ＤＦＥサーバ１３０への接続は、有線通信方式を用いたものであってもよく、無線通信方式を用いたものであってもよい。また、ＤＦＥサーバ１３０への接続は、通信ネットワーク（例えば、ＬＡＮ、インターネット等）を介したものであってもよい。そして、画像処理装置１００は、ＤＦＥサーバ１３０の接続に成功すると、操作装置１１０（操作パネル１５）からの遠隔操作により、ＤＦＥサーバ１３０によって追加された拡張機能の利用が可能となる。
【００２６】
なお、画像処理装置１００は、複数のＤＦＥサーバ１３０を選択的に切り替えて接続することにより、複数の拡張機能を選択的に切り替えて利用することが可能である。例えば、図１に示す例では、画像処理装置１００は、２つのＤＦＥサーバ１３０（ＤＦＥ（Ａ）サーバ１３１およびＤＦＥ（Ｂ）サーバ１３２）を選択的に切り替えて接続することにより、拡張機能（Ａ），（Ｂ）を選択的に切り替えて利用することが可能であるが、これに限らず、３つ以上のＤＦＥサーバ１３０を選択的に切り替えて接続することにより、３つ以上の拡張機能を選択的に切り替えて利用することも可能である。なお、本書で用いる「アプリ」とは、「アプリケーションソフトウェア」の略称である。
【００２７】
（画像処理装置１００のソフトウェア構成）
図２は、本発明の一実施形態に係る画像処理装置１００のソフトウェア構成を示す図である。図２に示すように、操作装置１１０は、ＯＳ（Operating System）１１１、ＤＦＥ（Ａ）接続アプリ１１２、ＤＦＥ（Ｂ）接続アプリ１１３、ホームアプリ１１４、リモート接続アプリ１１５、および監視サービス１１６を備えている。これらのアプリケーション１１２〜１１６は、操作装置１１０において操作システムを構成するアプリケーションである。一方、本体装置１２０は、コントローラ１２１を備えている。
【００２８】
ＯＳ１１１は、操作装置１１０（操作システム）の全体を制御する基本ソフトウェアである。ＯＳ１１１としては、例えば、Ａｎｄｒｏｉｄ（登録商標）等が挙げられる。なお、上記アプリケーション１１２〜１１６は、ＯＳ１１１上で稼働するアプリケーションである。
【００２９】
ＤＦＥ（Ａ）接続アプリ１１２は、ＤＦＥ（Ａ）サーバ１３１に接続するためのアプリケーションである。具体的には、ＤＦＥ（Ａ）接続アプリ１１２は、リモート接続アプリ１１５を起動して、リモート接続アプリ１１５へ、ＤＦＥ（Ａ）サーバ１３１に接続するための接続情報（例えば、ＩＰアドレス、ユーザＩＤ、パスワード等）を供給する。これに応じて、リモート接続アプリ１１５は、ＤＦＥ（Ａ）接続アプリ１１２から供給された接続情報を用いて、ＤＦＥ（Ａ）サーバ１３１に接続する。
【００３０】
ＤＦＥ（Ｂ）接続アプリ１１３は、ＤＦＥ（Ｂ）サーバ１３２に接続するためのアプリケーションである。具体的には、ＤＦＥ（Ｂ）接続アプリ１１３は、リモート接続アプリ１１５を起動して、リモート接続アプリ１１５へ、ＤＦＥ（Ｂ）サーバ１３２に接続するための接続情報（例えば、ＩＰアドレス、ユーザＩＤ、パスワード等）を供給する。これに応じて、リモート接続アプリ１１５は、ＤＦＥ（Ｂ）接続アプリ１１３から供給された接続情報を用いて、ＤＦＥ（Ｂ）サーバ１３２に接続する。
【００３１】
ホームアプリ１１４は、「表示制御アプリケーション」の一例である。ホームアプリ１１４は、操作装置１１０（操作システム）において、操作パネル１５（表示部１５Ａ）の表示を制御するアプリケーションである。例えば、ホームアプリ１１４は、操作パネル１５（表示部１５Ａ）に表示されたホーム画面（「複数の機能を選択可能な選択画面」の一例）に対して、操作装置１１０において実行可能なアプリケーションに関する複数のアイコン（「オブジェクト」の一例）を、ユーザが選択できるように表示させる。
【００３２】
リモート接続アプリ１１５は、は、「リモート接続アプリアプリケーション」の一例である。リモート接続アプリ１１５は、各ＤＦＥサーバ１３０にリモート接続して、各ＤＦＥサーバ１３０に対する操作パネル１５からの遠隔操作を可能とするためのアプリケーションである。リモート接続アプリ１１５は、複数のＤＦＥ接続アプリで共通的に利用される。すなわち、リモート接続アプリ１１５は、接続情報（例えば、ＩＰアドレス、ユーザＩＤ、パスワード等）の設定値を変更することで、リモート接続先のＤＦＥサーバ１３０を変更することができる。なお、本実施形態では、リモート接続アプリ１１５として、ＲＤＰクライアントを用いているが、これに限らない。
【００３３】
監視サービス１１６は、コントローラ１２１を介して操作装置１１０に入力される各種データを監視するサービスである。すなわち、監視サービス１１６は、「監視部」として機能する。例えば、監視サービス１１６は、起動通知情報を常に待ち受けており、ＤＦＥサーバ１３０から送信された起動通知情報を、コントローラ１２１を介して受信すると、当該起動通知情報を、各接続アプリケーション（ＤＦＥ（Ａ）接続アプリ１１２、ＤＦＥ（Ｂ）接続アプリ１１３、およびホームアプリ１１４）へブロードキャスト送信する。
【００３４】
コントローラ１２１は、本体装置１２０の全体の制御を行う制御システムである。コントローラ１２１は、ＤＦＥサーバ１３０が接続されることにより、当該コントローラ１２１よって実行可能な機能として、当該ＤＦＥサーバ１３０が有する拡張機能が追加される。例えば、コントローラ１２１は、ＤＦＥ（Ａ）サーバ１３１が接続された場合、当該ＤＦＥ（Ａ）サーバ１３１が有する拡張機能（Ａ）が追加される。また、例えば、コントローラ１２１は、ＤＦＥ（Ｂ）サーバ１３２が接続された場合、当該ＤＦＥ（Ｂ）サーバ１３２が有する拡張機能（Ｂ）が追加される。コントローラ１２１は、ＤＦＥサーバ１３０が接続されると、そのＤＦＥサーバ１３０との間で、各種データの送受信を行う。例えば、コントローラ１２１は、ＤＦＥサーバ１３０から送信された、起動通知情報、遠隔操作結果情報等を受信する。また、例えば、コントローラ１２１は、リモート接続要求情報、遠隔操作要求情報等を、ＤＦＥサーバ１３０へ送信する。なお、本実施形態では、コントローラ１２１は、ある一のタイミングにおいては、ＤＦＥ（Ａ）サーバ１３１およびＤＦＥ（Ｂ）サーバ１３２のうち、いずれか一方のＤＦＥサーバ１３０のみに接続することが可能である。このため、コントローラ１２１は、ＤＦＥ（Ａ）サーバ１３１およびＤＦＥ（Ｂ）サーバ１３２のうちの、一方のＤＦＥサーバ１３０に接続しているときに、他方のＤＦＥサーバ１３０に接続する場合は、一方のＤＦＥサーバ１３０と切断した後に、他方のＤＦＥサーバ１３０と接続する必要がある。
【００３５】
（画像処理装置１００の機能構成）
図３は、本発明の一実施形態に係る画像処理装置１００の機能構成を示す図である。図３に示すように、画像処理装置１００の操作装置１１０は、アプリケーション記憶部３００、利用可否判定部３０１、アイコン登録部３０２、アイコン表示制御部３０３、アイコン選択受付部３０４、アプリ起動部３０５、およびアイコン保持部３０６を備えている。図３に示す例では、これらの機能（アプリケーション記憶部３００を除く）は、ホームアプリ１１４に設けられている。但し、これに限らず、これらの機能の一部または全部は、ホームアプリ１１４以外のアプリに設けられていてもよい。
【００３６】
アプリケーション記憶部３００は、本体装置１２０に接続可能なＤＦＥサーバ１３０毎（すなわち、拡張機能毎）に、当該ＤＦＥサーバ１３０に接続するための接続アプリケーションを記憶する。図３に示すように、本実施形態では、一例として、アプリケーション記憶部３００は、ＤＦＥ（Ａ）サーバ１３１に接続するためのＤＦＥ（Ａ）接続アプリ１１２と、ＤＦＥ（Ｂ）サーバ１３２に接続するためのＤＦＥ（Ｂ）接続アプリ１１３とを記憶する。なお、ＤＦＥ（Ａ）接続アプリ１１２およびＤＦＥ（Ｂ）接続アプリ１１３は、例えば、所定のインストール方法によって、操作装置１１０にインストールされることにより、アプリケーション記憶部３００に記憶される。所定のインストール方法とは、例えば、ネットワーク（例えば、インターネット等）上のサーバ等からダウンロードしてインストールする方法、外部記憶媒体（例えば、ＵＳＢメモリ、メモリカード、ＣＤ−ＲＯＭ等）から読み出してインストール方法、等が挙げられる。
【００３７】
各接続アプリ１１２，１１３は、対応するＤＦＥサーバ１３０に接続するための接続情報を有する。例えば、ＤＦＥ（Ａ）接続アプリ１１２は、ＤＦＥ（Ａ）サーバ１３１に接続するための接続情報（ＩＰアドレス，ユーザＩＤ，パスワード）を有している。また、ＤＦＥ（Ｂ）接続アプリ１１３は、ＤＦＥ（Ｂ）サーバ１３２に接続するための接続情報（ＩＰアドレス，ユーザＩＤ，パスワード）を有している。
【００３８】
また、各接続アプリ１１２，１１３は、自身を起動するためのアイコンを有している。例えば、ＤＦＥ（Ａ）接続アプリ１１２は、自身を起動するためのアイコン１１２ａ（図４参照）を有している。また、ＤＦＥ（Ｂ）接続アプリ１１３は、自身を起動するためのアイコン１１３ａ（図４参照）を有している。
【００３９】
利用可否判定部３０１は、画像処理装置１００が有する複数の機能（標準機能および拡張機能）の各々について、当該機能が利用可能状態であるか否かを判定する。例えば、利用可否判定部３０１は、図１２に示すテーブル１２００を参照することにより、画像処理装置１００が有する複数の機能（標準機能および拡張機能）の各々について、当該機能が利用可能状態であるか否かを判定する。図１２に示すテーブル１２００においては、起動されている機能については、「Ｔｒｕｅ」が設定され、起動されていない機能については、「Ｆａｌｓｅ」が設定されるため、利用可否判定部３０１は、これらの設定値により、画像処理装置１００が有する複数の機能の各々について、当該機能が利用可能状態であるか否かを判定することができる。
【００４０】
例えば、操作装置１１０は、ＤＦＥ（Ａ）サーバ１３１から送信された起動通知情報を、監視サービス１１６から受け取った場合、当該ＤＦＥ（Ａ）サーバ１３１が有する拡張機能（Ａ）に対して、「Ｔｒｕｅ」を設定する。これにより、利用可否判定部３０１は、当該拡張機能（Ａ）が利用可能状態であると判定することができる。
【００４１】
また、操作装置１１０は、ＤＦＥ（Ｂ）サーバ１３２から送信された起動通知情報を、監視サービス１１６から受け取った場合、当該ＤＦＥ（Ｂ）サーバ１３２が有する拡張機能（Ｂ）に対して、「Ｔｒｕｅ」を設定する。これにより、利用可否判定部３０１は、当該拡張機能（Ｂ）が利用可能状態であると判定することができる。
【００４２】
アイコン登録部３０２は、拡張機能毎に、当該拡張機能が最初に利用可否判定部３０１によって利用可能状態であると判定されたときに、当該拡張機能に対応する接続アプリケーションのアイコンを、当該接続アプリケーションから取得し、操作パネル１５の表示部１５Ａ（ホーム画面）に表示可能なアイコンとして、アイコン保持部３０６（すなわち、ホームアプリ１１４）に登録する。
【００４３】
アイコン表示制御部３０３は、「オブジェクト表示制御部」の一例である。アイコン表示制御部３０３は、画像処理装置１００が有するアプリケーション毎に、当該接続アプリケーションを起動するためのアイコンを、操作パネル１５の表示部１５Ａ（ホーム画面）に表示させる。
【００４４】
例えば、アイコン表示制御部３０３は、図１３に示すテーブル１３００を参照することにより、画像処理装置１００が有する複数のアプリの各々について、当該アプリのアイコンがアイコン保持部３０６に登録されているか否かを判定する。そして、アイコン表示制御部３０３は、アイコンがアイコン保持部３０６に登録されていると判定されたアプリのうち、利用可否判定部３０１によって利用可能状態であると判定された機能のアプリについて、そのアイコンを表示部１５Ａ（ホーム画面）に表示させる。
【００４５】
アイコン選択受付部３０４は、表示部１５Ａ（ホーム画面）に表示された複数のアイコンの中からの、操作部１５Ｂのユーザ操作による任意のアイコンの選択を受け付ける。
【００４６】
アプリ起動部３０５は、アイコン選択受付部３０４によって選択が受け付けられたアイコンに対応するアプリケーションを起動する。例えば、アプリ起動部３０５は、ＤＦＥ（Ａ）接続アプリ１１２用のアイコン１１２ａが選択された場合、ＤＦＥ（Ａ）接続アプリ１１２を起動する。また、例えば、アプリ起動部３０５は、ＤＦＥ（Ｂ）接続アプリ１１３用のアイコン１１３ａが選択された場合、ＤＦＥ（Ｂ）接続アプリ１１３を起動する。
【００４７】
なお、上記した操作装置１１０の各機能は、例えば、操作装置１１０において、メモリ（例えば、ＲＯＭ１２）に記憶されたプログラムを、ＣＰＵ１１（コンピュータ）が実行することにより実現される。ＣＰＵ１１が実行するプログラムは、予め操作装置１１０に導入された状態で提供されてもよく、外部から提供されて操作装置１１０に導入されるようにしてもよい。後者の場合、このプログラムは、外部記憶媒体（例えば、ＵＳＢメモリ、メモリカード、ＣＤ−ＲＯＭ等）によって提供されてもよく、ネットワーク（例えば、インターネット等）上のサーバ等からダウンロードすることによって提供されるようにしてもよい。
【００４８】
（アプリケーション記憶部３００に記憶されるアイコンおよび接続情報の一例）
図４は、本発明の一実施形態に係る画像処理装置１００が用いるアイコンおよび接続情報の一例を示す図である。図４に示すように、画像処理装置１００においては、ＤＦＥサーバ１３０に接続するための各接続アプリケーションが、当該接続アプリケーション用のアイコンと、当該接続アプリケーション用の接続情報（ＩＰアドレス、ユーザＩＤ、パスワード等）とを有している。
【００４９】
例えば、図４（ａ）は、ＤＦＥ（Ａ）サーバ１３１に接続するためのＤＦＥ（Ａ）接続アプリ１１２が有する、アイコン１１２ａおよび接続情報（ＩＰアドレス、ユーザＩＤ、パスワード）を表している。アイコン１１２ａには、アプリ名称「ＤＦＥ（Ａ）接続アプリ」が付帯している。アイコン１１２ａ（画像）およびそのアプリ名称（文字列）は、ＤＦＥ（Ａ）接続アプリ１１２による接続先（すなわち、ＤＦＥ（Ａ）サーバ１３１）を一意に識別可能なものとなっている。
【００５０】
また、図４（ｂ）は、ＤＦＥ（Ｂ）サーバ１３２に接続するためのＤＦＥ（Ｂ）接続アプリ１１３が有する、アイコン１１３ａおよび接続情報（ＩＰアドレス、ユーザＩＤ、パスワード）を表している。アイコン１１３ａには、アプリ名称「ＤＦＥ（Ｂ）へ接続」が付帯している。アイコン１１３ａ（画像）およびそのアプリ名称（文字列）は、ＤＦＥ（Ｂ）接続アプリ１１３による接続先（すなわち、ＤＦＥ（Ｂ）サーバ１３２）を一意に識別可能なものとなっている。
【００５１】
（画像処理装置１００による処理の手順の一例（第１例））
図５は、本発明の一実施形態に係る画像処理装置１００による処理の手順の一例（第１例）を示すシーケンス図である。ここでは、画像処理装置１００から接続可能なＤＦＥサーバ１３０が、ＤＦＥ（Ａ）サーバ１３１である状態で、画像処理装置１００が起動されたときに実行される処理の手順について説明する。
【００５２】
まず、画像処理装置１００が起動されると、ホームアプリ１１４が、アイコンの表示条件（すなわち、図１２に示すテーブル１２００および図１３に示すテーブル１３００）を確認して、表示対象であると確認されたアイコン（すなわち、利用可否判定部３０１によって利用可能状態であると判定された機能のアイコン、且つ、アイコン保持部３０６に登録済みのアイコン）を、操作パネル１５の表示部１５Ａ（ホーム画面）に表示させる（ステップＳ５０１）。
【００５３】
この時点では、画像処理装置１００が有する各標準機能（例えば、コピー、ファクス、スキャナ、プリンタ、ドキュメントボックス等）は、利用可能状態であり、且つ、それらの標準機能に対応するアプリのアイコンが、アイコン保持部３０６に登録されているため、ホームアプリ１１４は、これらの標準機能に対応するアプリのアイコンを、操作パネル１５の表示部１５Ａ（ホーム画面）に表示させる。
【００５４】
一方、この時点では、拡張機能（Ａ）および拡張機能（Ｂ）の双方とも利用可能状態ではないため、ホームアプリ１１４は、これらの拡張機能のアイコンを、操作パネル１５の表示部１５Ａ（ホーム画面）に表示させない。
【００５５】
その後、ＤＦＥ（Ａ）サーバ１３１が起動して、ＤＦＥ（Ａ）サーバ１３１から起動通知情報が送信されると（ステップＳ５０２）、コントローラ１２１が、当該起動通知情報を、監視サービス１１６へ転送する（ステップＳ５０３）。
【００５６】
さらに、監視サービス１１６は、当該起動通知情報を、ＤＦＥ（Ａ）接続アプリ１１２と、ＤＦＥ（Ｂ）接続アプリ１１３と、ホームアプリ１１４とに、ブロードキャスト送信する（ステップＳ５０４，ステップＳ５０５，ステップＳ５０６）。
【００５７】
ＤＦＥ（Ｂ）接続アプリ１１３は、上記起動通知情報を受信しても、当該起動通知情報に示されている識別情報が自身の識別情報ではない（すなわち、起動した機能提供装置が、当該接続アプリケーションに対応する機能提供装置ではない）ため、当該起動通知情報を無視する。
【００５８】
ホームアプリ１１４は、上記起動通知情報を受信したことに応じて、ステップＳ５０１と同様に、アイコンの表示条件（すなわち、図１２に示すテーブル１２００および図１３に示すテーブル１３００）を確認して、表示対象であると確認されたアイコンを、操作パネル１５の表示部１５Ａ（ホーム画面）に表示させる（ステップＳ５０７）。この時点では、ＤＦＥ（Ａ）接続アプリについて、ＤＦＥ（Ａ）サーバが起動されたが、ＤＦＥ（Ａ）接続アプリのアイコンはまだ登録されていない。一方、ＤＦＥ（Ｂ）接続アプリについて、ＤＦＥ（Ｂ）サーバが起動されていないし、ＤＦＥ（Ｂ）接続アプリのアイコンはまだ登録されていない。このため、ホームアプリ１１４は、これらの拡張機能に対応するアプリのアイコンを、操作パネル１５の表示部１５Ａ（ホーム画面）に表示させない。なお、ホームアプリ１１４は、テーブル１２００において、ＤＦＥ（Ａ）アプリに対応する起動情報を「Ｆａｌｓｅ」から「Ｔｒｕｅ」に変更する。
【００５９】
ＤＦＥ（Ａ）接続アプリ１１２は、上記起動通知情報を受信すると、当該起動通知情報に示されている識別情報が自身の識別情報である（すなわち、起動した機能提供装置が、当該接続アプリケーションに対応する機能提供装置である）ため、バックグラウンド起動され、コントローラ１２１に対して、ＤＦＥ（Ａ）サーバ１３１への接続情報（ＩＰアドレス）を要求する（ステップＳ５０８）。これに応じて、コントローラ１２１は、ＤＦＥ（Ａ）サーバ１３１への接続情報（ＩＰアドレス）を、ＤＦＥ（Ａ）接続アプリ１１２へ送信する（ステップＳ５０９）。ＤＦＥ（Ａ）接続アプリ１１２は、当該接続情報（ＩＰアドレス）を受信すると、このＩＰアドレスと自身が保持するＩＰアドレスとが一致することをもって、上記起動通知情報が自身宛てであること（すなわち、本起動すべきであること）を確証する。なお、本起動とは、バックグラウンド起動された状態から、画面を表示するなどユーザが操作可能なアクティブな状態に切り替えることである。
【００６０】
続いて、ＤＦＥ（Ａ）接続アプリ１１２が、ホームアプリ１１４に対して、アイコン登録要求を行う（ステップＳ５１０）。この際、ＤＦＥ（Ａ）接続アプリ１１２は、自身のアイコン１１２ａと、自身のアプリ名称「ＤＦＥ（Ａ）接続アプリ」とを、ホームアプリ１１４へ送信する。
【００６１】
ホームアプリ１１４（アイコン登録部３０２）は、ＤＦＥ（Ａ）接続アプリ１１２から送信されたアイコン登録要求を受信すると、ＤＦＥ（Ａ）接続アプリ１１２のアイコン１１２ａを、ＤＦＥ（Ａ）接続アプリ１１２のアプリ名称「ＤＦＥ（Ａ）接続アプリ」と対応付けて、操作パネル１５の表示部１５Ａ（ホーム画面）に表示可能なアイコンとして、自身（アイコン保持部３０６）に登録する（ステップＳ５１１）。これにより、ホームアプリ１１４（アイコン保持部３０６）には、画像処理装置１００が有する各標準機能を実行するための各アイコンに加えて、アイコン１１２ａが登録されることとなる。また、ホームアプリ１１４は、アイコン１１２ａが登録されたことに応じて、テーブル１３００において、ＤＦＥ（Ａ）接続アプリ１１２に対応するアイコン登録情報を「Ｆａｌｓｅ」から「Ｔｒｕｅ」に変更する。
【００６２】
そして、ホームアプリ１１４が、アイコン１１２ａが登録されたことに応じて、ステップＳ５０１，Ｓ５０７と同様に、アイコンの表示条件（すなわち、図１２に示すテーブル１２００および図１３に示すテーブル１３００）を確認する（ステップＳ５１２）。そして、表示対象であると確認されたアイコンを、操作パネル１５の表示部１５Ａ（ホーム画面）に表示させる（ステップＳ５１３）。この時点では、拡張機能（Ａ）が利用可能状態であり、且つ、拡張機能（Ａ）に対応するアプリのアイコン１１２ａがアイコン保持部３０６に登録されているため、ホームアプリ１１４は、拡張機能（Ａ）に対応するアプリのアイコン１１２ａを、操作パネル１５の表示部１５Ａ（ホーム画面）に表示させる。
【００６３】
これにより、操作パネル１５の表示部１５Ａ（ホーム画面）には、画像処理装置１００が有する各標準機能を実行するための各アイコンと、ＤＦＥ（Ａ）接続アプリ１１２を起動するため（すなわち、ＤＦＥ（Ａ）サーバ１３１に接続するため）のアイコン１１２ａとが、表示されることとなる。
【００６４】
（画像処理装置１００による処理の手順の一例（第２例））
図６は、本発明の一実施形態に係る画像処理装置１００による処理の手順の一例（第２例）を示すシーケンス図である。ここでは、画像処理装置１００からの接続可能なＤＦＥサーバ１３０が、ＤＦＥ（Ａ）サーバ１３１からＤＦＥ（Ｂ）サーバ１３２に切り替えられた状態で、画像処理装置１００が起動されたときに実行される処理の手順について説明する。
【００６５】
まず、画像処理装置１００が起動されると、ホームアプリ１１４が、アイコンの表示条件（すなわち、図１２に示すテーブル１２００および図１３に示すテーブル１３００）を確認して、表示対象であると確認されたアイコン（すなわち、利用可否判定部３０１によって利用可能状態であると判定された機能のアイコン、且つ、アイコン保持部３０６に登録済みのアイコン）を、操作パネル１５の表示部１５Ａ（ホーム画面）に表示させる（ステップＳ６０１）。
【００６６】
この時点では、画像処理装置１００が有する各標準機能（例えば、コピー、ファクス、スキャナ、プリンタ、ドキュメントボックス等）は、利用可能状態であり、且つ、それらの標準機能に対応するアプリのアイコンが、アイコン保持部３０６に登録されているため、ホームアプリ１１４は、これらの標準機能に対応するアプリのアイコンを、操作パネル１５の表示部１５Ａ（ホーム画面）に表示させる。
【００６７】
一方、この時点では、拡張機能（Ａ）および拡張機能（Ｂ）の双方とも利用可能状態ではないため、ホームアプリ１１４は、これらの拡張機能に対応するアプリのアイコンを、操作パネル１５の表示部１５Ａ（ホーム画面）に表示させない。
【００６８】
その後、ＤＦＥ（Ｂ）サーバ１３２が起動して、ＤＦＥ（Ｂ）サーバ１３２から起動通知情報が送信されると（ステップＳ６０２）、コントローラ１２１が、当該起動通知情報を、監視サービス１１６へ転送する（ステップＳ６０３）。
【００６９】
さらに、監視サービス１１６は、当該起動通知情報を、ＤＦＥ（Ａ）接続アプリ１１２と、ＤＦＥ（Ｂ）接続アプリ１１３と、ホームアプリ１１４とに、ブロードキャスト送信する（ステップＳ６０４，ステップＳ６０５，ステップＳ６０６）。
【００７０】
ＤＦＥ（Ａ）接続アプリ１１２は、上記起動通知情報を受信しても、当該起動通知情報に示されている識別情報が自身の識別情報ではない（すなわち、起動した機能提供装置が、当該接続アプリケーションに対応する機能提供装置ではない）ため、当該起動通知情報を無視する。
【００７１】
ホームアプリ１１４は、上記起動通知情報を受信したことに応じて、ステップＳ６０１と同様に、アイコンの表示条件（すなわち、図１２に示すテーブル１２００および図１３に示すテーブル１３００）を確認して、表示対象であると確認されたアイコンを、操作パネル１５の表示部１５Ａ（ホーム画面）に表示させる（ステップＳ６０７）。この時点では、ＤＦＥ（Ｂ）接続アプリについて、ＤＦＥ（Ｂ）サーバが起動されたが、ＤＦＥ（Ｂ）接続アプリのアイコンはまだ登録されていない。一方、ＤＦＥ（Ａ）接続アプリについて、ＤＦＥ（Ａ）接続アプリのアイコンは登録済みであるが、ＤＦＥ（Ａ）サーバが起動されていない。このため、ホームアプリ１１４は、これらの拡張機能に対応するアプリのアイコンを、操作パネル１５の表示部１５Ａ（ホーム画面）に表示させない。なお、ホームアプリ１１４は、テーブル１２００において、ＤＦＥ（Ｂ）アプリに対応する起動情報を「Ｆａｌｓｅ」から「Ｔｒｕｅ」に変更する。
【００７２】
ＤＦＥ（Ｂ）接続アプリ１１３は、上記起動通知情報を受信すると、当該起動通知情報に示されている識別情報が自身の識別情報である（すなわち、起動した機能提供装置が、当該接続アプリケーションに対応する機能提供装置である）ため、バックグラウンド起動され、コントローラ１２１に対して、ＤＦＥ（Ｂ）サーバ１３２への接続情報（ＩＰアドレス）を要求する（ステップＳ６０８）。これに応じて、コントローラ１２１は、ＤＦＥ（Ｂ）サーバ１３２への接続情報（ＩＰアドレス）を、ＤＦＥ（Ｂ）接続アプリ１１３へ送信する（ステップＳ６０９）。ＤＦＥ（Ｂ）接続アプリ１１３は、当該接続情報（ＩＰアドレス）を受信すると、このＩＰアドレスと自身が保持するＩＰアドレスとが一致することをもって、上記起動通知情報が自身宛てであること（すなわち、本起動すべきであること）を確証する。
【００７３】
続いて、ＤＦＥ（Ｂ）接続アプリ１１３が、ホームアプリ１１４に対して、アイコン登録要求を行う（ステップＳ６１０）。この際、ＤＦＥ（Ｂ）接続アプリ１１３は、自身のアイコン１１３ａと、自身のアプリ名称「ＤＦＥ（Ｂ）へ接続」とを、ホームアプリ１１４へ送信する。
【００７４】
ホームアプリ１１４（アイコン登録部３０２）は、ＤＦＥ（Ｂ）接続アプリ１１３から送信されたアイコン登録要求を受信すると、ＤＦＥ（Ｂ）接続アプリ１１３のアイコン１１３ａを、ＤＦＥ（Ｂ）接続アプリ１１３のアプリ名称「ＤＦＥ（Ｂ）へ接続」と対応付けて、操作パネル１５の表示部１５Ａ（ホーム画面）に表示可能なアイコンとして、自身（アイコン保持部３０６）に登録する（ステップＳ６１１）。これにより、ホームアプリ１１４（アイコン保持部３０６）には、画像処理装置１００が有する各標準機能を実行するための各アイコン、および、図５の処理で登録済みのアイコン１１２ａに加えて、アイコン１１３ａが登録されることとなる。また、ホームアプリ１１４は、アイコン１１２ａが登録されたことに応じて、テーブル１３００において、ＤＦＥ（Ａ）接続アプリ１１２に対応するアイコン登録情報を「Ｆａｌｓｅ」から「Ｔｒｕｅ」に変更する。
【００７５】
そして、ホームアプリ１１４が、アイコン１１３ａが登録されたことに応じて、ステップＳ６０１，Ｓ６０７と同様に、アイコンの表示条件（すなわち、図１２に示すテーブル１２００および図１３に示すテーブル１３００）を確認する（ステップＳ６１２）。そして、表示対象であると確認されたアイコンを、操作パネル１５の表示部１５Ａ（ホーム画面）に表示させる（ステップＳ６１３）。この時点では、拡張機能（Ｂ）が利用可能状態であり、且つ、拡張機能（Ｂ）に対応するアプリのアイコン１１３ａがアイコン保持部３０６に登録されているため、ホームアプリ１１４は、拡張機能（Ｂ）に対応するアプリのアイコン１１３ａを、操作パネル１５の表示部１５Ａ（ホーム画面）に表示させる。
【００７６】
これにより、操作パネル１５の表示部１５Ａ（ホーム画面）には、画像処理装置１００が有する各標準機能を実行するための各アイコンと、ＤＦＥ（Ｂ）接続アプリ１１３を起動するため（すなわち、ＤＦＥ（Ｂ）サーバ１３２に接続するため）のアイコン１１３ａとが、表示されることとなる。
【００７７】
（ホーム画面の一例）
図７は、本発明の一実施形態に係る画像処理装置１００において操作パネル１５の表示部１５Ａに表示されるホーム画面の一例を示す図である。図７に示すホーム画面７００は、ホームアプリ１１４の制御により、操作装置１１０が備える操作パネル１５の表示部１５Ａに表示される画面である。特に、ホーム画面７００は、ＤＦＥ（Ａ）サーバ１３１が利用可能状態にあるときに表示される画面である。
【００７８】
図７に示すように、ホーム画面７００は、アイコン７０１〜７０６と、アイコン１１２ａとが表示されている。アイコン７０１〜７０６は、画像処理装置１００が有する標準機能（コピー，ファクス，スキャナ，プリンタ，ドキュメントボックス，操作部ブラウザ）を実行するためのアイコンである。
【００７９】
また、アイコン１１２ａは、ＤＦＥ（Ａ）接続アプリ１１２を起動するためのアイコンである。図７に示すように、このアイコン１１２ａは、ＤＦＥ（Ａ）接続アプリ１１２に固有の画像が用いられており、さらに、ＤＦＥ（Ａ）接続アプリ１１２に固有のアプリ名称「ＤＦＥ（Ａ）接続アプリ」が付帯されている。これにより、ユーザは、このアイコン１１２ａを選択することで、ＤＦＥ（Ａ）接続アプリ１１２が起動され、ＤＦＥ（Ａ）サーバ１３１に接続されることを、容易に把握できるようになっている。
【００８０】
また、図７に示す例では、ＤＦＥ（Ｂ）接続アプリ１１３を起動するためのアイコン１１３ａが表示されていないため、ＤＦＥ（Ｂ）サーバ１３２が利用可能状態ではないにも関わらず、ＤＦＥ（Ｂ）接続アプリ１１３が起動されてしまうことを、防止することができる。
【００８１】
（画像処理装置１００による処理の手順の一例（第３例））
図８は、本発明の一実施形態に係る画像処理装置１００による処理の手順の一例（第３例）を示すシーケンス図である。ここでは、画像処理装置１００からＤＦＥ（Ａ）サーバ１３１に接続して、操作装置１１０（操作パネル１５）によるＤＦＥ（Ａ）サーバ１３１の遠隔操作が開始可能となるまでの処理について説明する。特に、ここでは、ＤＦＥ（Ａ）サーバ１３１に接続する際のユーザＩＤおよびパスワードとして、ＤＦＥ（Ａ）接続アプリ１１２が保持しているユーザＩＤおよびパスワードを用いる例について説明する。
【００８２】
まず、操作装置１１０（操作パネル１５）に表示されたホーム画面において、ＤＦＥ（Ａ）接続アプリ１１２を起動するためのアイコン１１２ａが選択されると（ステップＳ８０１）、ホームアプリ１１４（アイコン選択受付部３０４）が、当該選択を受け付けて（ステップＳ８０２）、ホームアプリ１１４（アプリ起動部３０５）が、アイコン１１２ａに対応するＤＦＥ（Ａ）接続アプリ１１２を起動（本起動）する（ステップＳ８０３）。
【００８３】
ＤＦＥ（Ａ）接続アプリ１１２は、リモート接続アプリ１１５を起動する（ステップＳ８０４）。その際、ＤＦＥ（Ａ）接続アプリ１１２は、リモート接続アプリ１１５へ、ＤＦＥ（Ａ）サーバ１３１に接続するための接続情報（ＩＰアドレス、ユーザＩＤ、パスワード）を、アプリケーション記憶部３００から取得して、当該接続情報を、リモート接続アプリ１１５へ供給する。
【００８４】
リモート接続アプリ１１５は、ＤＦＥ（Ａ）接続アプリ１１２から供給された接続情報を用いて、ＤＦＥ（Ａ）サーバ１３１にリモート接続する（ステップＳ８０５）。そして、リモート接続アプリ１１５は、ＤＦＥ（Ａ）サーバ１３１を遠隔操作するための遠隔操作画面を、操作装置１１０（操作パネル１５）に表示させる（ステップＳ８０６）。これにより、ユーザは、操作装置１１０（操作パネル１５）に表示された遠隔操作画面に対し、操作パネル１５（操作部１５Ｂ）の操作により、遠隔操作を行うことが可能となる。
【００８５】
（画像処理装置１００による処理の手順の一例（第４例））
図９は、本発明の一実施形態に係る画像処理装置１００による処理の手順の一例（第４例）を示すシーケンス図である。ここでは、画像処理装置１００からＤＦＥ（Ａ）サーバ１３１に接続して、操作装置１１０（操作パネル１５）によるＤＦＥ（Ａ）サーバ１３１の遠隔操作が開始可能となるまでの処理について説明する。特に、ここでは、ＤＦＥ（Ａ）サーバ１３１に接続する際のユーザＩＤおよびパスワードとして、所定の設定画面からユーザ設定されたユーザＩＤおよびパスワードを用いる例について説明する。
【００８６】
まず、操作装置１１０（操作パネル１５）に表示されたホーム画面において、ＤＦＥ（Ａ）接続アプリ１１２を起動するためのアイコン１１２ａが選択されると（ステップＳ９０１）、ホームアプリ１１４（アイコン選択受付部３０４）が、当該選択を受け付けて（ステップＳ９０２）、ホームアプリ１１４（アプリ起動部３０５）が、アイコン１１２ａに対応するＤＦＥ（Ａ）接続アプリ１１２を起動（本起動）する（ステップＳ９０３）。
【００８７】
ＤＦＥ（Ａ）接続アプリ１１２は、ユーザＩＤおよびパスワードを設定可能な所定の設定画面を、操作装置１１０（操作パネル１５）に表示させる（ステップＳ９０４）。そして、ユーザが、所定の設定画面に対してユーザＩＤおよびパスワードを入力すると（ステップＳ９０５）、ＤＦＥ（Ａ）接続アプリ１１２は、当該ユーザＩＤおよび当該パスワードを、アプリケーション記憶部３００にて保持し（ステップＳ９０６）、その後、ＤＦＥ（Ａ）接続アプリ１１２は、リモート接続アプリ１１５を起動する（ステップＳ９０７）。その際、ＤＦＥ（Ａ）接続アプリ１１２は、リモート接続アプリ１１５へ、ＤＦＥ（Ａ）サーバ１３１に接続するための接続情報（ＩＰアドレス、ユーザＩＤ、パスワード）を、アプリケーション記憶部３００から取得して、当該接続情報を、リモート接続アプリ１１５へ供給する。
【００８８】
リモート接続アプリ１１５は、ＤＦＥ（Ａ）接続アプリ１１２から供給された接続情報を用いて、ＤＦＥ（Ａ）サーバ１３１にリモート接続する（ステップＳ９０８）。そして、リモート接続アプリ１１５は、ＤＦＥ（Ａ）サーバ１３１を遠隔操作するための遠隔操作画面を、操作装置１１０（操作パネル１５）に表示させる（ステップＳ９０９）。これにより、ユーザは、操作装置１１０（操作パネル１５）に表示された遠隔操作画面に対し、操作パネル１５（操作部１５Ｂ）の操作により、遠隔操作を行うことが可能となる。
【００８９】
（遠隔操作画面の一例）
図１０は、本発明の一実施形態に係る画像処理装置１００において操作パネル１５の表示部１５Ａに表示される遠隔操作画面の一例を示す図である。図１０に示す遠隔操作画面１０００は、リモート接続アプリ１１５の制御により、操作装置１１０が備える操作パネル１５の表示部１５Ａに表示される画面である。特に、遠隔操作画面１０００は、リモート接続アプリ１１５によってＤＦＥ（Ａ）サーバ１３１に接続されたときに、表示される画面である。なお、遠隔操作画面１０００は、「機能提供装置により提供される所定の機能に関する設定を行うための設定画面」の一例である。
【００９０】
図１０に示すように、遠隔操作画面１０００は、ＩＰアドレス表示欄１００２、設定値入力欄１００４、設定値入力欄１００６、ＯＫボタン１００８、およびキャンセルボタン１０１０を備えている。
【００９１】
ＩＰアドレス表示欄１００２は、ＤＦＥ（Ａ）サーバ１３１のＩＰアドレスが表示される。設定値入力欄１００４は、ＤＦＥ（Ａ）サーバ１３１によって追加される拡張機能（Ａ）に関する、第１の設定項目の設定値が入力される。設定値入力欄１００６は、ＤＦＥ（Ａ）サーバ１３１によって追加される拡張機能（Ａ）に関する、第２の設定項目の設定値が入力される。
【００９２】
ＯＫボタン１００８は、設定値入力欄１００４に入力された第１の設定項目の設定値と、設定値入力欄１００６に入力された第２の設定項目の設定値とを、それぞれ有効化するためのボタンである。キャンセルボタン１０１０は、第１の設定項目の設定値および第２の設定項目の設定値を変更することなく、当該拡張機能（Ａ）に関する設定変更を終了するためのボタンである。
【００９３】
なお、遠隔操作画面１０００は、ＤＦＥ（Ａ）サーバ１３１を遠隔操作するための画面であるから、当該遠隔操作画面１０００から設定された各設定値は、実際には、ＤＦＥ（Ａ）サーバ１３１において有効化されることとなる。
【００９４】
（画像処理装置１００による処理の手順の一例（第５例））
図１１は、本発明の一実施形態に係る画像処理装置１００による処理の手順の一例（第５例）を示すシーケンス図である。ここでは、画像処理装置１００から接続可能なＤＦＥサーバ１３０が、再び（すなわち、２回目以降に）ＤＦＥ（Ａ）サーバ１３１となった状態で、画像処理装置１００が起動されたときに実行される処理の手順について説明する。
【００９５】
まず、画像処理装置１００が起動されると、ホームアプリ１１４が、アイコンの表示条件（すなわち、図１２に示すテーブル１２００および図１３に示すテーブル１３００）を確認して、表示対象であると確認されたアイコン（すなわち、利用可否判定部３０１によって利用可能状態であると判定された機能のアイコン、且つ、アイコン保持部３０６に登録済みのアイコン）を、操作パネル１５の表示部１５Ａ（ホーム画面）に表示させる（ステップＳ１１０１）。
【００９６】
この時点では、画像処理装置１００が有する各標準機能（例えば、コピー、ファクス、スキャナ、プリンタ、ドキュメントボックス等）は、利用可能状態であり、且つ、それらの標準機能に対応するアプリのアイコンが、アイコン保持部３０６に登録されているため、ホームアプリ１１４は、これらの標準機能に対応するアプリのアイコンを、操作パネル１５の表示部１５Ａ（ホーム画面）に表示させる。
【００９７】
一方、この時点では、拡張機能（Ａ）および拡張機能（Ｂ）の双方とも利用可能状態ではないため、ホームアプリ１１４は、これらの拡張機能に対応するアプリのアイコンを、操作パネル１５の表示部１５Ａ（ホーム画面）に表示させない。
【００９８】
その後、ＤＦＥ（Ａ）サーバ１３１が起動して、ＤＦＥ（Ａ）サーバ１３１から起動通知情報が送信されると（ステップＳ１１０２）、コントローラ１２１が、当該起動通知情報を、監視サービス１１６へ転送する（ステップＳ１１０３）。
【００９９】
さらに、監視サービス１１６は、当該起動通知情報を、ＤＦＥ（Ａ）接続アプリ１１２と、ＤＦＥ（Ｂ）接続アプリ１１３と、ホームアプリ１１４とに、ブロードキャスト送信する（ステップＳ１１０４，ステップＳ１１０５，ステップＳ１１０６）。
【０１００】
ＤＦＥ（Ｂ）接続アプリ１１３は、上記起動通知情報を受信しても、当該起動通知情報に示されている識別情報が自身の識別情報ではない（すなわち、起動した機能提供装置が、当該接続アプリケーションに対応する機能提供装置ではない）ため、当該起動通知情報を無視する。
【０１０１】
ホームアプリ１１４は、上記起動通知情報を受信したことに応じて、ステップＳ１１０１と同様に、アイコンの表示条件（すなわち、図１２に示すテーブル１２００および図１３に示すテーブル１３００）を確認して、表示対象であると確認されたアイコンを、操作パネル１５の表示部１５Ａ（ホーム画面）に表示させる（ステップＳ１１０７）。この時点では、ＤＦＥ（Ａ）接続アプリについて、ＤＦＥ（Ａ）サーバが起動され、ＤＦＥ（Ａ）接続アプリのアイコンはまだ登録されている。一方、ＤＦＥ（Ｂ）接続アプリについて、ＤＦＥ（Ｂ）接続アプリのアイコンは登録済みであるが、ＤＦＥ（Ｂ）サーバが起動されていない。このため、ホームアプリ１１４は、拡張機能（Ａ）に対応するアプリのアイコン１１２ａを、操作パネル１５の表示部１５Ａ（ホーム画面）に表示させる（ステップＳ１１０８）。なお、ホームアプリ１１４は、テーブル１２００において、ＤＦＥ（Ａ）アプリに対応する起動情報を「Ｆａｌｓｅ」から「Ｔｒｕｅ」に変更する。
【０１０２】
これにより、操作パネル１５の表示部１５Ａ（ホーム画面）には、画像処理装置１００が有する各標準機能を実行するための各アイコンと、ＤＦＥ（Ａ）接続アプリ１１２を起動するため（すなわち、ＤＦＥ（Ａ）サーバ１３１に接続するため）のアイコン１１２ａとが、表示されることとなる。
【０１０３】
ＤＦＥ（Ａ）接続アプリ１１２は、上記起動通知情報を受信すると、当該起動通知情報に示されている識別情報が自身の識別情報である（すなわち、起動した機能提供装置が、当該接続アプリケーションに対応する機能提供装置である）ため、バックグラウンド起動され、コントローラ１２１に対して、ＤＦＥ（Ａ）サーバ１３１への接続情報（ＩＰアドレス）を要求する（ステップＳ１１０９）。これに応じて、コントローラ１２１は、ＤＦＥ（Ａ）サーバ１３１への接続情報（ＩＰアドレス）を、ＤＦＥ（Ａ）接続アプリ１１２へ送信する（ステップＳ１１１０）。ＤＦＥ（Ａ）接続アプリ１１２は、当該接続情報（ＩＰアドレス）を受信すると、このＩＰアドレスと自身が保持するＩＰアドレスとが一致することをもって、上記起動通知情報が自身宛てであること（すなわち、本起動すべきであること）を確証する。
【０１０４】
（アイコンの表示条件を確認するためのテーブルの一例）
図１２および図１３は、本発明の一実施形態に係る画像処理装置１００が用いる、アイコンの表示条件を確認するためのテーブルの一例を示す図である。図１２に示すテーブル１２００は、画像処理装置１００における起動状態を表すテーブルである。図１３に示すテーブル１３００は、画像処理装置１００におけるアイコンの登録状態を表すテーブルである。これらのテーブルは、例えば、操作装置１１０が備えるメモリ等に記憶される。そして、これらのテーブルは、操作装置１１０の利用可否判定部３０１によって、アイコンの表示条件を確認する際に用いられる。
【０１０５】
図１２に示すように、テーブル１２００は、データ項目として、「アプリ」、「コントローラ機能」、および「起動状態」を有している。「アプリ」は、操作装置１１０が備える各アプリケーション（識別情報）が設定される。「コントローラ機能」は、「アプリ」に設定されているアプリケーションに対応する、画像処理装置１００の機能（識別情報）が設定される。「起動状態」は、「コントローラ機能」に設定されている機能が起動されているか否か（「Ｔｒｕｅ」または「Ｆａｌｓｅ」）が設定される。例えば、図１２に示す例では、テーブル１２００は、「コピー」、「スキャナ」、「ファクス」、および「プリンタ」の各々の機能が、起動されていることを表しており、「ＤＦＥ（Ａ）」および「ＤＦＥ（Ｂ）」の各々の機能が、起動されていないことを表している。
【０１０６】
一方、図１３に示すように、テーブル１３００は、データ項目として、「アプリ」および「アイコン登録」を有している。「アプリ」は、操作装置１１０が備える各アプリケーション（識別情報）が設定される。「アイコン登録」は、「アプリ」に設定されているアプリケーションに対応するアイコンが登録されているか否か（「Ｔｒｕｅ」または「Ｆａｌｓｅ」）が設定される。例えば、図１３に示す例では、テーブル１３００は、「コピーアプリ」、「スキャナアプリ」、「ファクスアプリ」、「プリンタアプリ」、および「ブラウザアプリ」の各々のアプリについては、アイコンが登録されていることを表しており、「ＤＦＥ（Ａ）アプリ」および「ＤＦＥ（Ｂ）アプリ」の各々のアプリについては、アイコンが登録されていないことを表している。
【０１０７】
以上説明したように、本発明の一実施形態に係る画像処理装置１００によれば、接続アプリケーション（ＤＦＥ（Ａ）接続アプリ１１２，ＤＦＥ（Ｂ）接続アプリ１１３）を起動するためのアイコンであって、接続アプリケーションの接続先を識別可能なアイコン（アイコン１１２ａ，１１３ａ）を、操作装置１１０が備える表示部１５Ａにおけるホーム画面に表示させる構成を採用している。これにより、ユーザは、ホーム画面に表示されたアイコンにより、そのアイコンを選択した場合にどの拡張機能に接続されるかを、容易に把握することができる。したがって、本発明の一実施形態に係る画像処理装置１００によれば、接続先の拡張機能を容易に把握することができるように、操作装置における表示を制御することができる。
【０１０８】
特に、本発明の一実施形態に係る画像処理装置１００によれば、接続先を識別可能な画像と、接続先を識別可能な文字列とを有するアイコンを、ホーム画面に表示させる構成を採用している。これにより、ユーザは、ホーム画面に表示されたアイコンにより、そのアイコンを選択した場合にどの拡張機能に接続されるかを、より容易に把握することができる。
【０１０９】
また、本発明の一実施形態に係る画像処理装置１００によれば、拡張機能を有する拡張機能装置から起動通知を受信した場合、その拡張機能に対応する接続アプリケーションのアイコンを、ホーム画面に表示し、拡張機能から起動通知を受信しない場合、その拡張機能に対応する接続アプリケーションのアイコンを、ホーム画面に表示しない構成を採用している。これにより、ユーザは、ホーム画面に表示されたアイコンにより、現在利用可能な拡張機能を容易に把握することができる。また、ユーザは、現在利用可能でない拡張機能に接続するための接続アプリケーションを、誤って起動してしまうこともない。
【０１１０】
また、本発明の一実施形態に係る画像処理装置１００によれば、各接続アプリケーション（ＤＦＥ（Ａ）接続アプリ１１２，ＤＦＥ（Ｂ）接続アプリ１１３）が、リモート接続アプリ１１５を起動するとともに、当該接続アプリケーションに対応する拡張機能に接続するための接続情報を、リモート接続アプリ１１５へ供給することにより、リモート接続アプリ１１５に、当該接続アプリケーションに対応する拡張機能への接続を行わせる構成を採用している。すなわち、本発明の一実施形態に係る画像処理装置１００は、リモート接続アプリ１１５を改変することなく、各接続アプリケーションを追加で設ける構成を採用しているため、リモート接続アプリ１１５に仕様上の制約があるような場合であっても、容易に実現可能である。
【０１１１】
また、本発明の一実施形態に係る画像処理装置１００によれば、拡張機能が最初に利用可能状態であると判定されるときに、当該拡張機能に対応する接続アプリケーションのアイコンを、ホーム画面に表示可能となるように、ホームアプリ１１４（アイコン保持部３０６）に登録する構成を採用している。これにより、本発明の一実施形態に係る画像処理装置１００は、ホームアプリ１１４に対するアイコンの登録を一度行えば、それ以降、ホームアプリ１１４が、当該アイコンを使用し続けることができるため、ホームアプリ１１４に対するアイコンの不要な登録を抑制することができる。また、本発明の一実施形態に係る画像処理装置１００によれば、アイコンの表示制御を、ホームアプリ１１４の標準的な機能によって行うことが可能となるため、各接続アプリケーションの機能を簡素化することができるうえ、ホームアプリ１１４の改変を最小限（もしくは、不要）とすることができ、よって、容易に実現可能である。
【０１１２】
以上、本発明の好ましい実施形態について詳述したが、本発明はこれらの実施形態に限定されるものではなく、特許請求の範囲に記載された本発明の要旨の範囲内において、種々の変形又は変更が可能である。
【０１１３】
例えば、上記実施形態では、本発明を、画像処理装置（ＭＦＰ）に適用した例を説明したが、これに限らず、本発明は、操作装置および操作対象装置を有するものであれば、如何なる電子機器、如何なる情報処理システム、および、これらに用いられる如何なる操作装置にも適用することができる。なお、操作装置は、操作対象装置と物理的に分離して設けられたものであってもよく、操作対象装置と物理的に一体的に設けられたものであってもよい。
【０１１４】
また、例えば、上記実施形態において、利用可能状態と判定された拡張機能に対応するアイコンを、利用可能状態であることを識別可能にホーム画面に表示し、利用可能状態ではない判定された拡張機能に対応するアイコンを、利用可能状態ではないことを識別可能にホーム画面に表示するように変形してもよい。
【０１１５】
また、例えば、上記実施形態において、操作装置１１０におけるアプリケーション構成を変形するようにしてもよい。
【０１１６】
例えば、拡張機能毎に接続アプリケーションを設ける代わりに、一の接続アプリケーションを設け、当該一の接続アプリケーションにより、接続先の拡張機能を選択的に切り替えるようにしてもよい。この場合、ホームアプリ１１４は、上記一の接続アプリケーションを起動するためのアイコンを、現在の接続先の設定に応じて、変更するとよい。例えば、上記一の接続アプリケーションにおいて、ＤＦＥ（Ａ）サーバ１３１の接続情報及び接続先のＤＦＥ（Ａ）サーバ１３１を示すアイコン及びアプリ名称と、ＤＦＥ（Ｂ）サーバ１３２の接続情報及び接続先のＤＦＥ（Ｂ）サーバ１３２を示すアイコン及びアプリ名称とが設定されている。ホームアプリ１１４は、ＤＦＥ（Ａ）サーバ１３１から起動通知を受信し、ＤＦＥ（Ａ）サーバ１３１が利用可能状態と判断された場合、上記一の接続アプリケーションを起動するためのアイコンとして、ＤＦＥ（Ａ）サーバ１３１が接続先であることを識別可能なアイコン及びアプリ名称を表示し、ＤＦＥ（Ｂ）サーバ１３２から起動通知を受信し、ＤＦＥ（Ｂ）サーバ１３２が利用可能な状態と判断された場合、上記一の接続アプリケーションを起動するためのアイコンとして、ＤＦＥ（Ｂ）サーバ１３２が接続先であることを識別可能なアイコン及びアプリ名称を表示するとよい。
【０１１７】
また、例えば、拡張機能毎に接続アプリケーションを設ける代わりに、上記一の接続アプリケーションの機能を、追加機能として、リモート接続アプリ１１５またはホームアプリ１１４に設けるようにしてもよい。この場合、リモート接続アプリ１１５またはホームアプリ１１４は、上記追加機能を起動するためのアイコンを、現在の接続先の設定に応じて、変更するとよい。例えば、リモート接続アプリ１１５またはホームアプリ１１４は、上記追加機能において、現在の接続先がＤＦＥ（Ａ）サーバ１３１に設定されている場合、上記追加機能を起動するためのアイコンとして、ＤＦＥ（Ａ）サーバ１３１が接続先であることを識別可能なアイコンを表示し、上記追加機能において、現在の接続先がＤＦＥ（Ｂ）サーバ１３２に設定されている場合、上記追加機能を起動するためのアイコンとして、ＤＦＥ（Ｂ）サーバ１３２が接続先であることを識別可能なアイコンを表示するとよい。
【０１１８】
また、例えば、ホームアプリ１１４がアイコンの表示制御を行う代わりに、接続アプリケーション自身が、アイコンの表示制御を行うようにしてもよい。例えば、ＤＦＥ（Ａ）サーバ１３１からの起動通知を受信した場合、ＤＦＥ（Ａ）接続アプリ１１２が、自身のアイコン１１２ａをホーム画面に表示させ、ＤＦＥ（Ｂ）サーバ１３２からの起動通知を受信した場合、ＤＦＥ（Ｂ）接続アプリ１１３が、自身のアイコン１１３ａをホーム画面に表示させるようにしてもよい。
【０１１９】
また、例えば、上記実施形態では、監視サービス１１６から、各接続アプリケーションへ起動通知をブロードキャスト送信するようにしているが、これに限らない。例えば、監視サービス１１６以外のアプリケーション（例えば、ホームアプリ１１４）が、各接続アプリケーションへ起動通知をブロードキャスト送信するようにしてもよい。また、例えば、監視サービス１１６以外のアプリケーション（例えば、ホームアプリ１１４）が、各ＤＦＥサーバ１３０の識別情報と、ＤＦＥサーバ１３０に接続するためのＤＦＥ接続アプリとが対応付けられた情報を保持し、監視サービス１１６から起動通知を受信したことに応じて、起動通知に含まれるＤＦＥサーバ１３０の識別情報に対応するＤＦＥ接続アプリを起動させ、そして、起動されたＤＦＥ接続アプリがアイコン登録したことに応じて、当該ＤＦＥ接続アプリのアイコンをホーム画面に表示させるようにしてもよい。
【０１２０】
また、例えば、上記実施形態において、コントローラ１２１は、ある一のタイミングにおいて、ＤＦＥ（Ａ）サーバ１３１およびＤＦＥ（Ｂ）サーバ１３２の双方に同時接続することが可能であってもよい。この場合、ＤＦＥ（Ａ）サーバ１３１およびＤＦＥ（Ｂ）サーバ１３２の双方から起動通知情報を受信した場合は、双方に対応するアイコン１１２ａ，１１３ａのそれぞれを、ホーム画面に表示させるようにしてもよい。
【０１２１】
また、本発明の「オブジェクト」は、アイコンに限らず、それ以外のオブジェクト（例えば、ボタン等）であってもよい。
【符号の説明】
【０１２２】
１０  情報処理システム
１５  操作パネル
１５Ａ  表示部
１５Ｂ  操作部
１００  画像処理装置（電子機器）
１１０  操作装置
１１１  ＯＳ
１１２  ＤＦＥ（Ａ）接続アプリ（接続アプリケーション）
１１３  ＤＦＥ（Ｂ）接続アプリ（接続アプリケーション）
１１４  ホームアプリ
１１５  リモート接続アプリ（リモート接続アプリケーション）
１１６  監視サービス（監視部）
１２０  本体装置（操作対象装置）
１２１  コントローラ
１３０  ＤＦＥサーバ（機能提供装置）
１３１  ＤＦＥ（Ａ）サーバ
１３２  ＤＦＥ（Ｂ）サーバ
３００  アプリケーション記憶部
３０１  利用可否判定部
３０２  アイコン登録部
３０３  アイコン表示制御部（オブジェクト表示制御部）
３０４  アイコン選択受付部
３０５  アプリ起動部
３０６  アイコン保持部
【先行技術文献】
【特許文献】
【０１２３】
【特許文献１】特開２０１７−１７３８５０号公報
【図１】
2019133359.tif 000003
【図２】
2019133359.tif 000004
【図３】
2019133359.tif 000005
【図４】
2019133359.tif 000006
【図５】
2019133359.tif 000007
【図６】
2019133359.tif 000008
【図７】
2019133359.tif 000009
【図８】
2019133359.tif 000010
【図９】
2019133359.tif 000011
【図１０】
2019133359.tif 000012
【図１１】
2019133359.tif 000013
【図１２】
2019133359.tif 000014
【図１３】
2019133359.tif 000015